(57)【特許請求の範囲】
【請求項１】
連続撮影により動画を得る動画撮影手段、およびシャッターのレリーズにより静止画を撮影する静止画撮影手段と該静止画を保存する画像保存手段とからなる静止画撮影保存手段を備えたデジタルカメラであり、
該デジタルカメラが、所定の動作モードにおいて、前記動画を構成する各フレームを圧縮して圧縮動画データを与える圧縮手段と、前記圧縮動画データを適切な形式で外部に出力するインタフェース手段と、シャッターのレリーズによる静止画の撮影または前記画像保存手段に保存されている画像の指定の何れかにより利用者が画像を選択できるようにする画像選択手段とを備え、
前記圧縮手段が、利用者が前記画像選択手段により画像を選択した場合、前記圧縮動画データの代わりに前記選択画像を圧縮せずそのまま与える選択画像出力手段を含み、
前記選択画像の出力開始から出力終了までの選択画像出力期間の間に出力される前記選択画像と前記圧縮動画データの総量（以下、「総転送量」という。）に対する前記選択画像出力期間に出力される前記選択画像の量（以下、「選択画像転送量」という。）の比率（以下、「選択画像転送率」という。）を利用者が指定する選択ボタンを前記デジタルカメラがさらに備え、且つ前記圧縮手段が、前記選択ボタンにより前記選択画像転送率が１００％以外に指定されているときに利用者が前記画像選択手段により画像を選択した場合、指定の選択画像転送率となるように前記選択画像を前記圧縮動画データと時分割多重化して出力する手段をさらに備えたことを特徴とするデジタルカメラ。
【請求項２】
連続撮影により動画を得る動画撮影手段、およびシャッターのレリーズにより静止画を撮影する静止画撮影手段と該静止画を保存する画像保存手段とからなる静止画撮影保存手段を備えたデジタルカメラであり、
該デジタルカメラが、所定の動作モードにおいて、前記動画を構成する各フレームを圧縮して圧縮動画データを与える圧縮手段と、前記圧縮動画データを適切な形式で外部に出力するインタフェース手段と、シャッターのレリーズによる静止画の撮影または前記画像保存手段に保存されている画像の指定の何れかにより利用者が画像を選択できるようにする画像選択手段とを備え、
前記圧縮手段が、利用者が前記画像選択手段により画像を選択した場合、前記圧縮動画データの代わりに前記選択画像を圧縮せずそのまま与える選択画像出力手段と、前記圧縮手段が、利用者が前記画像選択手段により画像を選択した場合、前記選択画像を前記圧縮動画データと時分割多重化して出力する多重化手段をさらに備え、且つ前記多重化手段が、前記選択画像のデータ量が比較的小さい場合は、前記圧縮動画データの送信レートを上げ、前記選択画像のデータ量が比較的大きい場合は、前記圧縮動画データの送信レートを下げる手段を含むことを特徴とするデジタルカメラ。
【請求項３】
前記選択画像出力手段が、前記圧縮手段の圧縮率より一般に低い静止画用圧縮率で前記選択画像を圧縮する静止画圧縮手段を含むことにより、前記選択画像を前記静止画用圧縮率で圧縮して前記圧縮動画データの代わりに与えることを特徴とする請求項１または２に記載のデジタルカメラ。
【請求項４】
前記圧縮動画データを与える前記圧縮手段が、前記各フレームの画素を所定の要領で間引く画像縮小手段からなることを特徴とする請求項１または２に記載のデジタルカメラ。
【請求項５】
前記選択画像出力手段が、カラー画像データをグレイスケール化するグレイスケール化手段と、利用者が前記選択画像の圧縮に前記静止画圧縮手段および前記グレイスケール化手段の何れかを選択できるようにする手段とをさらに備えたことを特徴とする請求項３に記載のデジタルカメラ。
【請求項６】
前記選択画像出力手段が、画像データを二値化する二値化手段と、利用者が前記選択画像の圧縮に前記静止画圧縮手段および前記二値化手段の何れかを選択できるようにする手段とをさらに備えたことを特徴とする請求項３に記載のデジタルカメラ。
【請求項７】
前記画像選択手段が、利用者が前記画像保存手段に保存された静止画から選択することを可能とする手段からなることを特徴とする請求項１または２に記載のデジタルカメラ。
【請求項８】
前記デジタルカメラは、着脱可能な外部記憶装置と前記画像保存手段との間のデータ転送を双方向に可能とする外部記憶装置インタフェース手段をさらに備え、且つ前記外部記憶装置インタフェース手段は、前記所定の動作モードにおける前記外部記憶装置の着脱を可能とすることを特徴とする請求項７に記載のデジタルカメラ。
【請求項９】
画像を表示する画像表示手段と、外部から画像データを受信する画像入力手段と、受信した画像データから静止画（即ち、選択画像）を分離して前記画像保存手段に保存する分離手段と、前記分離器を通った画像データ（即ち、動画）を伸張する伸張手段と、前記圧縮手段の出力と前記の受信した画像データとの何れを表示するべきかを利用者が指定するための手段とをさらに備えることにより、送信中の画像データと前記の受信した画像データとを選択して見ることを可能とすることを特徴とする請求項１または２に記載のデジタルカメラ。
【発明の詳細な説明】
【０００１】
【発明の属する技術分野】
本発明は、テレビ会議システムの各議場において動画像および静止画像を取り込み、且つその表示および送信を行うのに適した、動画および静止画の撮影が可能なデジタルカメラに関する。
【０００２】
【従来の技術】
画像入力手段を接続したＰＣ（パーソナルコンピュータ）でネットワークを形成したＴＶ（テレビ）会議システムが既にいろいろ提案されている。
例えば、特開平５−１６１１３６号には、各議場において１台の電送装置に会議状況を伝える動画用カメラと静止画を撮影する静止画用カメラとを別々に接続する方式が提示されている。
このように動画用と静止画用に別々のカメラを用いるのは、現在一般に使用される通信路にデータを転送する通信能力に限界があるために、動画像を構成する各画像のデータ量を抑える必要があることから動画用には解像度が低いカメラで十分であるのに対し、静止画は印刷出力を求められることが多いため高い解像度が必要となるからである。
したがって、１台で動画と静止画を取り込み、それぞれ適切なデータ量（または、データレート）で送信できるカメラを用いてＴＶ会議システムを構築できれば好都合である。
一方、デジタルスチールカメラやビデオカメラの普及に伴い、比較的短い期間の動画も記録できるスチールカメラや、動画の指定したフレームをスチール再生する機能を備えたビデオカメラが現在入手可能である。しかし、既存のカメラは、いずれもＴＶ会議システムに使用することを考慮して製品化されたものではないので、ＴＶ会議システムに適したデータレートや方式で動画と静止画を出力することはできない。
【０００３】
【発明が解決しようとする課題】
したがって、本発明は、動画および静止画の撮影、少なくもと静止画の蓄積、並びに動画および静止画のＴＶ会議システムに適した形式での出力が可能なデジタルカメラを提供することを目的とする。
【０００４】
【課題を解決するための手段】
前述の目的を達成するため、請求項１は、ＴＶ会議システムに適したデジタルカメラを与える。本デジタルカメラ１は、連続撮影により動画を得る動画撮影手段（１０〜７０，１４０，１５０）、およびシャッターのレリーズにより静止画を撮影する静止画撮影手段（１０〜７０，１４０，１５０）と該静止画を保存する画像保存手段（１２０）とからなる静止画撮影保存手段を備えたデジタルカメラであり、所定の動作モードにおいて、前記動画を構成する各フレームを圧縮して圧縮動画データを与える圧縮手段（１００）と、前記圧縮動画データを外部に適切な形式で出力するインタフェース手段（１１０）と、利用者が画像を選択することを可能とする画像選択手段（２０，３０，８０，８５，１２０，２，１３０，１５０）とをさらに備え、且つ前記圧縮手段が、利用者が前記画像選択手段により画像を選択した場合、前記圧縮動画データの代わりに前記選択画像を圧縮せずそのまま与える選択画像出力手段を含み、前記選択画像の出力開始から出力終了までの選択画像出力期間の間に出力される前記選択画像と前記圧縮動画データの総量（以下、「総転送量」という。）に対する前記選択画像出力期間に出力される前記選択画像の量（以下、「選択画像転送量」という。）の比率（以下、「選択画像転送率」という。）を利用者が指定する選択ボタンを前記デジタルカメラがさらに備え、且つ前記圧縮手段が、前記選択ボタンにより前記選択画像転送率が１００％以外に指定されているときに利用者が前記画像選択手段により画像を選択した場合、指定の選択画像転送率となるように前記選択画像を前記圧縮動画データと時分割多重化して出力する手段をさらに備えたことを特徴とする。請求項２記載のデジタルカメラは、連続撮影により動画を得る動画撮影手段、およびシャッターのレリーズにより静止画を撮影する静止画撮影手段と該静止画を保存する画像保存手段とからなる静止画撮影保存手段を備えたデジタルカメラであり、該デジタルカメラが、所定の動作モードにおいて、前記動画を構成する各フレームを圧縮して圧縮動画データを与える圧縮手段と、前記圧縮動画データを適切な形式で外部に出力するインタフェース手段と、シャッターのレリーズによる静止画の撮影または前記画像保存手段に保存されている画像の指定の何れかにより利用者が画像を選択できるようにする画像選択手段とを備え、前記圧縮手段が、利用者が前記画像選択手段により画像を選択した場合、前記圧縮動画データの代わりに前記選択画像を圧縮せずそのまま与える選択画像出力手段と、前記圧縮手段が、利用者が前記画像選択手段により画像を選択した場合、前記選択画像を前記圧縮動画データと時分割多重化して出力する多重化手段をさらに備え、且つ前記多重化手段が、前記選択画像のデータ量が比較的小さい場合は、前記圧縮動画データの送信レートを上げ、前記選択画像のデータ量が比較的大きい場合は、前記圧縮動画データの送信レートを下げる手段を含むことを特徴とする。請求項３のデジタルカメラは、請求項１または２において、前記選択画像出力手段が、前記圧縮手段の圧縮率より一般に低い静止画用圧縮率で前記選択画像を圧縮する静止画圧縮手段を含むことにより、前記選択画像を前記静止画用圧縮率で圧縮して前記圧縮動画データの代わりに与えることを特徴とする。請求項４記載のデジタルカメラは、請求項１または２において、前記圧縮動画データを与える前記圧縮手段が、前記各フレームの画素を所定の要領で間引く画像縮小手段からなることを特徴とする。請求項５記載のデジタルカメラは、請求項３において、前記選択画像出力手段が、カラー画像データをグレイスケール化するグレイスケール化手段と、利用者が前記選択画像の圧縮に前記静止画圧縮手段および前記グレイスケール化手段の何れかを選択できるようにする手段とをさらに備えたことを特徴とする。請求項６記載のデジタルカメラは、請求項３において、前記選択画像出力手段が、画像データを二値化する二値化手段と、利用者が前記選択画像の圧縮に前記静止画圧縮手段および前記二値化手段の何れかを選択できるようにする手段とをさらに備えたことを特徴とする。
【０００５】
請求項７記載のデジタルカメラは、請求項１または２において、前記画像選択手段が、利用者が前記画像保存手段に保存された静止画から選択することを可能とする手段からなることを特徴とする。請求項８記載のデジタルカメラは、請求項７において、前記デジタルカメラは、着脱可能な外部記憶装置と前記画像保存手段との間のデータ転送を双方向に可能とする外部記憶装置インタフェース手段をさらに備えたことを特徴とする。
【０００６】
請求項９記載のデジタルカメラは、請求項１または２において、画像を表示する画像表示手段と、外部から画像データを受信する画像入力手段と、受信した画像データから静止画（即ち、選択画像）を分離して前記画像保存手段に保存する分離手段と、前記分離器を通った画像データ（即ち、動画）を伸張する伸張手段と、前記圧縮手段の出力と前記の受信した画像データとの何れを表示するべきかを利用者が指定するための手段とをさらに備えることにより、送信中の画像データと前記の受信した画像データとを選択して見ることを可能とすることを特徴とする。
【０００７】
【発明の実施の形態】
以下、本発明の実施の形態例と添付図面により本発明を詳細に説明する。
（実施の形態）
図１は、本発明の一実施例によるデジタルカメラの概念を示す略ブロック図である。図１のデジタルカメラ１は、レンズ部１０；メカニカルシャッタ２０；レンズ部１０のレンズとシャッタ２０を動かす各モータを駆動するモータドライバ３０；スチールカメラとして十分な数（例えば、１２８０×９６０）の画素を備えたＣＣＤ（電荷結合素子）４０；ＣＣＤ駆動回路５０；ＣＣＤ信号の相関二重サンプリング及びＡ／Ｄ変換（アナログからデジタルへの変換）を行う信号処理部６０；Ａ／Ｄ変換されだデジタル信号を輝度Ｙ、色差Ｕ，Ｖ信号に変換する画像処理部７０；撮影された動画および蓄積・選択された静止画を表示するための画像表示制御部８０；画像表示制御部８０の出力を表示する画像表示部８５；画像表示制御部８０からの信号を外部のビデオモニタに出力するビデオ出力ＩＦ９０；撮影された動画を（実施例によっては、蓄積・選択された静止画もそれぞれ）指定されたデータレートで所定のフォーマットに圧縮し、送信すべき静止画がある場合には圧縮された動画と静止画とを多重化する圧縮・多重化部１００；圧縮・多重化部１００からの画像出力信号を、他の議場との通信制御を行うＰＣまたは通信制御装置に出力するための通信ＩＦ（インタフェース）１１０；静止画像を一時的に記憶する画像メモリ１２０；画像を蓄積する着脱可能な外部メモリ２を接続するための外部メモリＩＦ１３０；カメラ１全体を制御する中央制御部１４０；および利用者がカメラ１を操作するための各種スイッチ類を備えた操作部１５０からなる。
以上の構成要素のうち、要素１０〜９０、画像メモリ１２０および外部メモリＩＦ１３０は、通常のビデオカメラまたはスチールカメラと同じであるから、詳細な説明は省略する。
なお、必ず外部表示装置へ接続することを前提とする場合は、画像表示装置８５を省略することができる。
【０００８】
また、カメラ１に接続するＰＣまたは通信制御装置は、カメラ１からの画像出力を伸張し表示する機能を持つので、ＴＶ会議の用途だけを考えれば、ビデオ出力ＩＦ９０は不要であるが、通常のスチールカメラとして使用することも考えれば、ビデオ出力ＩＦ９０を備える方が好ましい。
図示しないＰＣまたは通信制御装置は、図１のカメラ１のほか、図１以外の各議場のＰＣまたは通信制御装置と通信手段で接続されていて、各議場から送られる画像の表示を利用者の指示に従って制御する。カメラ１とＰＣまたは通信制御装置との接続は、有線で行っても無線で行ってもよい。有線の場合、例えばＵＳＢ（Universal Serial Bus）を用いることができる。
カメラ１をＰＣまたは通信制御装置に接続してＴＶ会議に利用する場合、利用者は、まず操作部１５０の所定のスイッチ（図示せず）によりＴＶ会議モードに設定する。
【０００９】
以下において、デジタルカメラ１のＴＶ会議モードの動作を説明する。
カメラ１は、ＴＶ会議モードでは通常、動画撮影を行い、撮影した各フレームを圧縮・多重化部１００で指定されたレートに圧縮し、圧縮した画像データを通信ＩＦ１１０を通して出力する。
しかし、送信再生される画像は低解像であり、会議中にもっと対象物の高解像なデータで打ち合わせ必要な場合か出てくる。この場合、本発明によるＴＶ会議モードでは、動画の連続データを送信中であっても、利用者がレリーズボタンを押した瞬間の画像（これを選択画像と称する）は、圧縮せずに画像メモリ１２０に保存すると同時に、通信ＩＦ１１０を介して出力する。また、画像メモリ１２０に予め撮影・保存されていた静止画像の何れかを利用者が指定し場合も、指定された画像（これも選択画像と称する）を通信ＩＦ１１０を介して出力する。もちろん、外部メモリ２に保存されていた画像から選択して出力することも可能である。また、画像の選択には、画像表示部８５を利用して対話的に選択できるようにしてもよい。
なお、通常のデジタルカメラはデータ保護のため、記録媒体の藻イ検知用ＳＷを常時チェックしており、記録媒体が無い場合や抜こうとした場合、これを検出してカメラ動作を停止するようになっている。本発明は利用者設定により、カメラが撮像データを外部に送信しているモード（ＴＶ会議モード）の最中は、記録媒体の交換ができるように構成することが好ましい。このようにすることにより、ＴＶ会議中でも外部メモリ２を交換して必要な静止画を送信できるようになる。
選択画像の送信が終了すると同時に、圧縮・多重化部１００は、撮影中の動画の送信を再会する。この送信方法は、動画の送信を一時中断して静止画（選択画像）１フレームを一度に送信するので、静止画は素早く送信することができるが、その間、動画が送信されないので、受信側で動画像が途切れることになる。
この点を解決するために、選択画像の送信開始から送信終了までの選択画像送信期間の間に送信される選択画像と動画の総量（即ち、総転送量）に対する同期間に送信される選択画像の量（即ち、選択画像転送量）の比率（即ち、選択画像転送率）を指定する選択ボタンを操作部１５０に設け、利用者が選択画像転送率を選択できるようにしてもよい。この割合が１００％の場合が、既に述べた１フレームの選択画像の一括送信に相当する。選択画像転送率が１００％以外の時は、圧縮・多重化部１００は、指定の比率になるように１フレームの静止画を動画と時分割多重化して出力する。
【００１０】
また、選択画像転送率を利用者が指定する代わりに、中央制御部１４０が自動的に制御することも可能である。即ち、複数レベルの選択画像転送率を用意し、選択画像のデータ量が小さい場合は、連続画像の送信レートを高くし（即ち、選択画像転送率のレベルを下げ）て滑らかな動画の動きを確保する。一方、選択画像のデータ量が大きい場合は、連続データ送信レートを小さくする（即ち、選択画像転送率のレベルを上げる）ことにより、動画はぎこちなくなるが、選択画像のデータ送信時間をある一定の範囲内に納めるようにすることができる。
なお、画像処理部７０は、撮影された画像が静止画の場合、動画と区別するためのコードまたはデータを画像の所定の位置に挿入することが望ましい。このようにすることにより、静止画と動画を容易に区別できるので、カメラ１内部での再生でも送信先における再生でも、静止画を示すコードを含む画像を受け取った場合、その画像を繰り返し表示すればよい。さらに、静止画を送ったカメラ１の画像処理部７０は、その静止画の再生を停止するタイミングの動画の所定の位置に静止画停止を示すコードまたはデータを挿入するようにする。これにより、静止画を再生中のカメラは、静止画停止を示すコードまたはデータを含む動画を受信するまで静止画の再生を繰り返せばよいことになる。
【００１１】
圧縮・多重化部１００が、圧縮率を制御する機能がある場合、連続画像は高い圧縮率で圧縮し、静止画または選択画像はより低い圧縮率で圧縮するようにしてもよい。圧縮・多重化部１００の圧縮方式としては、例えば、動画に対してＭＰＥＧなどの高効率の圧縮方式を用いるほか、次のような種々の圧縮方法を用いることができる。
１）動画の画素を間引く：
撮影したままのフル画像から水平・垂直方向にライン数を減らし、例えば３２０×２４０画素程度に縮小する事ができる。この場合、撮影時に垂直ラインを間引き、圧縮・多重化部１００で水平ラインを間引くようにしてもよい。
２）選択画像をグレイスケール化または二値化する：
撮影された画像は処理されＹ（輝度）と、ＵおよびＶ（色差）となる。Ｙは８ｂｉｔデータで０〜２５５の値をとる多値データである。静止画のうちカラーである必要のないものは、Ｙデータのみを出力することにより、カラーの場合に比べてデータレートを下げることができる。さらに、圧縮・多重化部１００に二値化機能を持たせてもよい。即ち、画面全体の平均輝度を閾値として各Ｙデータを“１”、“０”の二値データに変換する。例えば、文書、図面、線画などのような二値画像でよいものは、選択画像として二値化して送れば、データレートをグレイスケールよりさらに低減させることができる。
以上はデータレートを低減する技術を述べたが、高品質の画像が必要な場合もある。このため、デジタルカメラ１を次のように構成してもよい。即ち、撮影素子を上下に移動できる圧電素子（図示せず）を備え、１枚撮影後に、ＣＣＤ４０を上に１画素移動し、２枚めを撮影する。ＣＣＤ４０はＲＧＢのフィルタが市松配列されているため、各色の情報が全画素に対して得られるわけではない。通常は補間により全画素の色情報を得ているが、補間式はＬＰＦ（ローパスフィルタ）効果をもつため、画像がぼける原因となる。そこで、１画素ずらした２枚目の画像を用いれば、これからＹ信号に大きく寄与するＧ信号が全ての画素について得られるため、Ｙに関して補間を用いる必要がなく、高解像度の画像が得られる。この画像データを送れば、ＣＣＤ４０の画素サイズ以上の高品質なデータを送ることができる。したがって、例えば、ＣＣＤ自体は低画素で動画用であっても、解像度の高い画像を作成し送ることができる。
【００１２】
デジタルカメラ１は、外部装置から画像データを受信する画像入力インタフェース（図示せず）、受信した画像データから静止画（即ち、選択画像）を分離して画像メモリ１２０に保存する分離器（図示せず）、分離器を通った画像データ（即ち、動画）を伸張する伸張器（図示せず）、および圧縮・多重化部１００の出力と受信した画像データとの何れを表示するべきかを利用者が指定するための手段をさらに備えて、画像表示部８５に外部からの連続画像や選択画像を表示または蓄積・表示できるように構成してもよい。カメラ１がこのような構造を持ち、且つ１個人に使用されるような場合、外部のＰＣまたは通信制御装置自体は、画像を伸張・表示する機能を持つ必要は無くなる。利用者は送信中の連続画像と相手からの連続画像を選択して見ることができる。
【００１３】
<<音声通信機能を備えたデジタルカメラ>>
また、動画撮影機能に代わり又はこれに加えて、マイク（図示せず）、マイク入力信号の帯域制限および増幅を行うアナログ処理部（図示せず）、さらにアナログ処理部の出力の符号する符号器を備えることにより、利用者の音声を外部メモリ２に格納したり、通信インタフェースを介して出力することが可能となる。
このような構成の場合、テレビ会議モードでは、マイクから入力した音声データは、通常、音声インタフェースを通して出力し、利用者が画像を選択した場合、音声データの代わりに選択された画像を通信インタフェース１１０を介して外部に出力するようにしてもよい。あるいは、利用者が画像を選択した場合、音声データと択された画像とを時分割して出力してもよい。ここで、画像を選択する方法としては、シャッターのレリーズにより静止画を撮影すること、及び画像メモリ１２０または外部メモリ２に保存されている画像から選択することが考えられる。また、通常は、連続的に動画を送信しているときに選択された静止画のデータ量が多い場合、動画を送信する代わりに、音声のみに切り換えて、静止画データの送信を早期に終了させることも可能である。  上述の実施例においては動画と静止画とを同一の通信路にて時分割で送信したが、動画と静止画のそれぞれに対して、インタフェースと通信路を設けてもよい。
外部メモリ２としては、現時点では何らかのメモリカードを用いることになるが、将来、小型でアクセス速度が早く且つ大容量の光ディスクが利用できるようになれば、外部メモリ２には、静止画のみならず、ある程度の長さの動画であれば圧縮した形で記録することが可能となる（この時点で、一般ユーザ市場においては、ビデオカメラとデジタルスチールカメラの区別は消滅する）。その場合、会議中の必要な時に、撮影中の動画の代わりに外部メモリ２に記録された動画を選択して送信することも可能となる。
【００１４】
以上は、本発明の説明のために実施の形態の例を掲げたに過ぎない。したがって、本発明の技術思想または原理に沿って上述の実施の形態に種々の変更、修正または追加を行うことは、当業者には容易である。故に、本発明は、以上述べた実施の形態に捕らわれることなく、ただ特許請求の範囲の記載に従って解釈するべきである。
【００１５】
【発明の効果】
請求項１または２によれば、低解像度だがリアルタイム性のある連続データと必要に応じて詳細情報を含む高解像度のデータを一台のカメラで簡単に、かつ動画データを途切れさせることなく外部装置に送信でき、ＴＶ会議システムなどに有用である。また、請求項１によれば、カメラは動画データと選択画像のレートを変更できることにより、リアルタイム画像を重視して、ゆっくりバックグランドで選択画像を送ったり、又は動画データレートを落とし、高速に選択画像を送ることもできる。また、請求項２によれば、カメラは選択画像のデータサイズをチェックし、選択画像転送率を制御することでリアルタイムの動画データの品位、及び選択画像の送信時間性能を確保できる。請求項３によれば、装置内にデータ圧縮率制御機能を持つことで、請求項１または２の低解像度データには高圧縮データを、また高解像度データには低圧縮率データを用いることができる。請求項４によれば、装置内に画像サイズ変更機能を持つことで、請求項１または２の低解像度データには画像サイズ縮小データを、また高解像度データには画像サイズ縮小なしのデータを用いることができる。請求項５によれば、選択画像をグレイスケール化することによりデータ量を減らすことができる。請求項６によれば、選択画像を二値化することにより、さらにデータ量を減らすことができる。請求項７によれば、画像保存手段に保存されている静止画から選択画像を選ぶことができる。請求項８によれば、ＴＶ会議中に着脱可能な外部メモリを交換して、装着した外部メモリに保存されている静止画から選択画像を選んで送信することができる。
【００１６】
請求項９によれば、カメラ本体に表示部を持ち、動画データ、選択画像、及び外部からの受信データを選択的に表示することにより、外部装置の表示によらない、カメラ本体での操作性及び外部から受信したデータの情報視認性を上げることができる。
【図面の簡単な説明】
【図１】本発明の一実施例によるデジタルカメラの概念を示す略ブロック図である。
【符号の説明】
１  本発明のデジタルカメラ、２  外部メモリ、１０  レンズ部、２０  メカニカルシャッター、３０  モータドライバ、４０  ＣＣＤ、５０  ＣＣＤ駆動回路、６０  信号処理部、７０  画像処理部、８０  画像表示制御部、８５  画像表示部、９０  ビデオ出力ＩＦ、１００  画像圧縮部、１１０  通信ＩＦ、１２０画像メモリ、１３０  外部メモリＩＦ、１４０  中央制御部、１５０  操作部
【図１】
0004564190.tif 000002